(57)【要約】【課題】空気多層化構造を有する浮力装置であって、当該浮力装置が外部衝撃によって部分的に損傷されるときでも、長時間にわたって浮力を維持することが可能であり、かつ、容易に製造され、また、損傷を受けた浮力装置を再使用するためにユーザが低コストで容易に修理することを可能にする浮力装置を提供する。【解決手段】開示されているのは、空気多層化構造を有する浮力装置である。浮力装置は、外部から封止される内部中空部分を形成する円柱の封止ケースと、中空部分内に充填され、ビニルの２つのシート間に複数の空気充填空間を形成する浮力部材とを備える。【選択図】図２
2018014992.tif 000002
【特許請求の範囲】
【請求項１】
空気多層化構造を有する浮力装置であって、
外部から封止される内部中空部分を形成する円柱の封止ケースと、
前記中空部分内に充填され、ビニルの２つのシート間に複数の空気充填空間を形成する浮力部材と
を備える、浮力装置。
【請求項２】
請求項１に記載の浮力装置であって、
紫外線を遮断する保護層が、前記封止ケースの外側表面上に形成されている、浮力装置。
【請求項３】
請求項１又は請求項２に記載の浮力装置であって、
前記封止ケースは、一端が開放された第１及び第２の本体を備え、
前記第１及び第２の本体の前記開放された一端は、前記開放された一端が互いに対面する状態で周方向に沿って融着シートに熱融着されている、浮力装置。
【請求項４】
請求項３に記載の浮力装置であって、
蛍光塗料が、夜間視認性を高めるように前記融着シート上にコーティングされている、浮力装置。
【請求項５】
請求項１〜４のうちのいずれか１項に記載の浮力装置であって、
前記封止ケースは、一端が開放された第１及び第２の本体を備え、
ロープが巻き付けられる溝が、前記第１及び第２の本体の外側表面の各々の上に周方向に形成されている、浮力装置。
【請求項６】
請求項５に記載の浮力装置であって、
前記第１及び第２の本体に巻き付けられた前記ロープにジグザグに接続する結束紐を更に備え、
前記第１及び第２の本体の前記開放された一端は、前記開放された一端が互いに対面する状態で前記結束紐の張力によって共に付着されている、浮力装置。
【請求項７】
請求項１〜６のうちのいずれか１項に記載の浮力装置であって、
前記空気充填空間は、前記封止ケースの周方向に垂直に延在し、
前記空気充填空間の両端は、前記封止ケースの両端に対して長手方向に押圧され、
前記封止ケースの内側表面上に防水剤をコーティングした後に前記封止ケースの周方向に巻かれた前記浮力部材が前記中空部分内に充填されると、互いから封止された複数の封止された空間が、前記封止ケースの前記内側表面と前記浮力部材との間に形成される、浮力装置。 
【発明の詳細な説明】
【技術分野】
【０００１】
本開示は、空気多層化構造を有する浮力装置であって、当該浮力装置が外部衝撃によって部分的に損傷されるときでも、長時間にわたって浮力を維持することが可能な浮力装置に関する。
【背景技術】
【０００２】
海洋環境において主要な汚染源として指摘される微細ポリスチレンは、海洋生態系の汚染に重大な影響を及ぼすことが調査されてきた。海を汚染する微細ポリスチレンは、ある場合には、陸地においてパッケージ又は断熱のために広く使用され、海に導入される、ポリスチレンの廃棄物である場合があるが、ほとんどの場合、沖の水性養殖施設における安価な浮力材料として使用されている浮きドラムの経年変化の過程で分解されるポリスチレンである。
【０００３】
ポリスチレンでできた浮きドラムは、その軽さ及び安さに起因して、沖の水性養殖施設において主に使用されている。しかしながら、浮きドラムは、その耐摩耗性及び耐久性が低いことに起因して、大量の微細ポリスチレンを生成するという問題がある。したがって、海洋環境の汚染の主要な原因であるポリスチレンを材料として使用することなく、低コストで製造可能な浮きドラムを開発する努力がなされてきた。
【０００４】
これに関して、下記特許文献１は、生態系に優しい釣り浮き具及び装置並びにそれを製造するための方法を開示している。この特許文献１に開示された技術では、半球楕円ＡＢＳ（アクリロニトリル・ブタジエン・スチレン）樹脂でできた第１及び第２の外側カバー６及び８のフレーム結合部品１０が、セラミック支持プレート３２内に収容された真空ガラス管内に設置されて、フレーム結合部品１０が酸化によって外れることを防止している。第１及び第２の外側カバー６及び８のフレーム結合部品１０は、第１及び第２の固定部品２４及び２６内に位置する第１及び第２の外側カバー６及び８のフレーム結合部品１０を間接的に加熱し溶融させるため、赤外線ニクロムワイヤでできたホットワイヤを構成する加熱器２８の間接加熱によって融着されることによって楕円外側カバー４を形成する。浮力空間１６を有するエアボール状内側カバー１４は、第１及び第２の外側カバー６及び８が互いに結合する前に、外側カバー４内に配置され、それにより、浮力を生成する。ウレタン樹脂が、内側カバー１４と外側カバー４との間に形成された空間内で発泡して、自己浮力機能を提供し、また、外側カバー４が破壊されるときに釣り浮き具２が腐食することを防止しながら、内側カバー１４と外側カバー４との間の付着を増大させるための中間層１２を形成する。
【０００５】
特許文献１で開示された技術は、ＡＢＳ樹脂でできた釣り浮き具が優れた耐久性、耐油性、及び耐熱性を有し、また、低温における高い衝撃強度を有し、種々の形態の釣り浮き具が、その高い加工性により容易に射出成形可能であるという利点を有する。
【０００６】
しかしながら、内側カバー１４、中間層１２、及び外側カバー４を付着状態で維持するように、内側カバー１４と外側カバー４との間の空間内にウレタン樹脂発泡中間層１２が形成されるため、この技術の釣り浮き具は、外側カバーに対する外部衝撃（波の運動エネルギー、接続されたロープの張力、船との衝突等）が、中間層１２を介して内側カバー１４に伝達される可能性がある構造を有している。したがって、外部衝撃又は腐食によって、たとえ小さな割れしか外側カバーに生じなくても、割れが内側カバー１２まですぐに進行する場合があるため、海水が浮力空間１６に浸入する場合がある。単一浮力空間１６だけが内側カバー１４内に形成されているため、この技術の釣り浮き具は、たとえ小さな割れしか内側カバー１４に生じなくても、その浮力を実質的に失うため、廃棄されなければならない。
【０００７】
更に、特許文献１に開示された技術は、従来のポリスチレン浮きドラムと比較すると、例えば、外部から封止された浮力空間１６を内側カバー１４内に形成することや、内側カバー１４と外側カバー４との間の空間内にウレタン樹脂発泡中間層１２を形成すること等の挑戦的な製造プロセスを有し、また、上述のように、たとえ小さな割れしか生じなくても浮力を失うという問題を有している。したがって、特許文献１に開示された技術の釣り浮き具は、水性養殖施設で実際には使用されていない。
【先行技術文献】
【特許文献】
【０００８】
【特許文献１】韓国登録特許第１０−１５４０２０１号公報
【発明の概要】
【発明が解決しようとする課題】
【０００９】
本開示の目的は、空気多層化構造を有する浮力装置であって、当該浮力装置が外部衝撃によって部分的に損傷されるときでも、長時間にわたって浮力を維持することが可能であり、かつ、容易に製造され、また、損傷を受けた浮力装置を再使用するためにユーザが低コストで容易に修理することを可能にする浮力装置を提供することである。
【課題を解決するための手段】
【００１０】
本開示の一局面によれば、空気多層化構造を有する浮力装置であって、外部から封止された内部中空部分を形成する円柱の封止ケースと、中空部分内に充填され、２つのビニルシート間に複数の空気充填空間を形成する浮力部材とを備える、浮力装置が提供される。
【００１１】
紫外線を遮断する保護層が封止ケースの外側表面上に形成されてもよい。
封止ケースは、第１及び第２の本体を備えてもよく、第１及び第２の本体の一端は開放され、第１及び第２の本体の開放された一端は、開放された一端が互いに対面する状態で周方向に沿って融着シートに熱融着されてもよい。
【００１２】
蛍光塗料は、夜間視認性を高めるように融着シート上にコーティングされてもよい。
封止ケースは、一端が開放された第１及び第２の本体を備えてもよく、ロープが巻き付けられる溝が、第１及び第２の本体の外側表面の各々の上に周方向に形成されてもよい。
【００１３】
浮力装置は、第１及び第２の本体に巻き付けられたロープにジグザグに接続する結束紐を更に備えてもよい。第１及び第２の本体における開放された一端は、開放された一端が互いに対面する状態で結束紐の張力によって共に付着されてもよい。
【００１４】
空気充填空間は、封止ケースの周方向に垂直に延在（あるいは伸長）されてもよく、空気充填空間の両端は、封止ケースの両端に対して長手方向に押圧されてもよい。
封止ケースの内側表面上に防水剤をコーティングした後に封止ケースの周方向に巻かれた浮力部材が中空部分内に充填されると、互いから封止された複数の封止された空間が、封止ケースの内側表面と浮力部材との間に形成されてもよい。
【００１５】
本開示によれば、複数の空気充填空間を形成する浮力部材が封止ケース内のビニルの２つのシート間に充填され、複数の封止された空間が、封止ケースの内側表面と浮力部材との間に形成されるため、空気多層化構造を有する浮力装置であって、容易に製造可能であり、浮力装置が外部衝撃によって部分的に損傷されるときでも、長時間にわたって浮力を維持可能である、浮力装置を提供することが可能である。
【００１６】
更に、巻かれた（あるいはロールされた）浮力部材を中空部分内に充填した後に、結束紐の張力によって第１及び第２の本体を共に付着させる単純な構造によって浮力が生じるため、空気多層化構造を有する浮力装置であって、浮力装置が部分的に損傷されるときでも、ユーザが再使用するために低コストで容易に修理されることが可能である、浮力装置を提供することが可能である。
【図面の簡単な説明】
【００１７】
【図１】本開示の一実施形態に係る空気多層化構造を有する浮力装置を図示する斜視図である。
【図２】図１の浮力装置の分解斜視図である。
【図３】図１の浮力装置の断面図である。
【図４】本開示の別の実施形態に係る空気多層化構造を有する浮力装置を図示する斜視図である。
【発明を実施するための形態】
【００１８】
上記目的、特徴、及び利点は、添付図面を参照しながら詳細な説明から明らかになるであろう。実施形態は、本開示の技術的概念を当業者が容易に実施することを可能にするのに十分に詳細に説明される。周知の機能又は構成の詳細な説明は、本開示の要旨を不必要に不明確にしないために省略され得る。以下、本開示の実施形態は、添付図面を参照しながら詳細に説明される。図面全体を通して、同様の参照符号は同様の要素を指す。
【００１９】
ここで、本開示の例示的な実施形態を添付図面を参照しながら説明する。
本開示の一実施形態に係る空気多層化構造を有する浮力装置は、浮力装置が外部衝撃によって部分的に損傷されるときでも、長時間にわたって浮力を維持することが可能であり、かつ、容易に製造可能であり、また、損傷した浮力装置を再使用するためにユーザが低コストで容易に修理することを可能にする。
【００２０】
図１は、本開示の一実施形態に係る空気多層化構造を有する浮力装置を図示する斜視図である。図２は、図１の浮力装置の分解斜視図である。図３は、図１の浮力装置の断面図である。図４は、本開示の別の実施形態に係る空気多層化構造を有する浮力装置を図示する斜視図である。
【００２１】
図１〜３に図示するように、本開示の一実施形態に係る空気多層化構造を有する浮力装置１０は、当該浮力装置１０が外部衝撃によって部分的に損傷されるときでも、長時間にわたって浮力を維持できるように、封止ケース１００及び浮力部材２００を備える。
【００２２】
封止ケース１００は、外部から封止された（あるいはシールされた、あるいは密封された）内部中空部分を形成し、第１の本体１１０及び第２の本体１２０を備える。参照符号で示されないが、中空部分が封止ケース１００の内部空間を意味することが理解される。
【００２３】
図２に図示するように、第１の本体１１０及び第２の本体１２０の各々は、一端部分が開放された円柱形状を有している。第１の本体１１０及び第２の本体１２０は、ポリエチレン射出成形によって作られる。
【００２４】
第２の本体１２０の開口部内に入り込む（あるいは嵌め込まれる）段状部分１１１は、第１の本体１１０の開口部内に形成される。第１の本体１１０及び第２の本体１２０は、第１の本体１１０及び第２の本体１２０の一端部分が互いに対面しながら、段状部分１１１が第２の本体１２０の開口部内に入り込む状態で融着シート１０１によって結合される。
【００２５】
融着シート１０１は、長尺の帯形状を有する。融着シート１０１は、段状部分１１１が第２の本体１２０の開口部内に挿入された状態で、周方向に沿って互いに付着される開口部の外側表面に熱融着されることにより、海水が開口部の間に導入されることを防止する。融着シート１０１は、第１の本体１１０及び第２の本体１２０と同じポリエチレン材料でできている。
【００２６】
蛍光層１０３は、融着シート１０１上に蛍光塗料をコーティングすることによって、融着シート１０１上に形成される。蛍光塗料は、主に、不可視の紫外線を吸収し、吸収した紫外線を蛍光可視線に変換する蛍光顔料からなる塗料である。図３に図示するように、蛍光層１０３が蛍光塗料によって形成されるとき、蛍光層１０３は、紫外線を吸収し、夜間視認性を高めることによって、作業者の夜間作業を容易にする。
【００２７】
図３に図示するように、紫外線を遮断するための保護層１０２は、第１の本体１１０及び第２の本体１２０の各々の外側表面上に形成される。紫外線にさらされると、ポリエチレンは、その伸び率が低減する場合がある。例えばＵＶ５３１等のＵＶ吸収体による保護層１０２が第１及び第２の本体１１０及び１２０の外側表面上に形成されると、第１及び第２の本体１１０及び１２０の耐候性が向上するため、第１及び第２の本体１１０及び１２０が溶融し、割れ、破壊されることを防止でき、それによって、環境汚染の防止がもたらされ得る。
【００２８】
図１〜３に図示するように、ロープＲが巻き付けられる溝１０４が、第１及び第２の本体１１０及び１２０の各々の外側表面上に周方向に沿って形成されている。図４を参照すると、ロープＲが溝１０４に巻き付けられ、溝１０４に結ばれる。ロープＲは、溝１０４と封止ケース１００の外側表面との間の段を通して溝１０４内に拘束されたままである。フックＨが、ロープＲの端部に結合されてもよい。図示しないが、フックＨは、海底に固定されたロープに離脱可能に結合される。
【００２９】
図１〜３に図示するように、浮力部材２００は、複数の空気充填空間２０１を形成し、空気充填空間２０１の外に熱融着によって結合されたビニルの２つのシート２１０を備える。浮力部材２００は、脆い物品で梱包され、外部衝撃を吸収するエアバッグと同じ原理で製造されてもよい。
【００３０】
図２及び図３に図示するように、浮力部材２００は、第１及び第２の本体１１０及び１２０が互いに結合されると、中空部分内に充填される。空気充填空間２０１の長手方向は、浮力部材２００が中空部分内に充填された状態で、封止ケース１００の周方向と直角を形成する。
【００３１】
空気充填空間２０１は、空気充填空間２０１が、長手方向に直角に互いから離間した状態で、熱融着等によって結合されたビニルの２つのシート２１０によって順次接続される。図２に図示するように、浮力部材２００は、当該浮力部材２００が封止ケース１００の周方向に巻かれて（あるいはロールされて）、中空部分と同様の円柱形状をなした状態で中空部分内に充填される。
【００３２】
浮力部材２００は、封止ケース１００の周方向に巻かれて、中空部分内に充填されている間に部分的に圧縮される。この過程で、ビニル２１０は、部分的に弾性変形されて、空気充填空間２０１内に充填された空気の圧力及び密度をわずかに増加させる。これは、封止された空間内に空気が単に充填される従来の技術に比べて浮力が増加するという利点がある。
【００３３】
空気充填空間２０１は、中空部分より短くなるように形成される。したがって、浮力部材２００の両端は、第１及び第２の本体１１０及び１２０が互いに結合されると、封止ケース１００内で封止ケース１００の両方の長手方向内側表面によって押圧される。
【００３４】
浮力部材２００を第１及び第２の本体１１０及び１２０に挿入する前に、コーティング防水剤が、第１及び第２の本体１１０及び１２０の内側表面上にコーティングされる。コーティング防水剤は、生態系に優しい無機コーティング防水剤等であってもよい。
【００３５】
コーティング防水剤が、第１及び第２の本体１１０及び１２０の内側表面上にコーティングされた後、浮力部材２００は、当該浮力部材２００が封止ケース１００の周方向に巻かれた状態で、中空部分内に充填される。コーティング防水剤は、ある時間の経過後に硬化して、封止ケース１００の内側表面と空気充填空間２０１の外側ビニル２１０との間に防水層１０６を形成する。空気充填空間２０１の外側ビニル２１０は、図３に図示するように、防水層１０６を通して封止ケース１００の内側表面に付着する。したがって、複数の封止された空間１０７が、封止ケース１００の内側表面と空気充填空間２０１の外側ビニル２１０との間に形成される。
【００３６】
特許文献１に開示された技術の釣り浮き具では、ウレタン樹脂発泡中間層が、内側カバー、中間層、及び外側カバーを付着状態で維持するように内側カバーと外側カバーとの間の空間内に形成されるため、外側カバーに対する外部衝撃（波の運動エネルギー、接続されたロープの張力、船との衝突等）は、中間層を介して内側カバーに伝達される可能性がある。したがって、外部衝撃又は腐食によって、たとえ小さな割れしか外側カバーに生じなくても、割れが内側カバー１２にまですぐに進行する場合があるため、海水が浮力空間に浸入する場合がある。単一の浮力空間だけが内側カバー内に形成されるため、この技術の釣り浮き具は、たとえ小さな割れしか内側カバーに生じなくても、その浮力を実質的に失うため、廃棄されなければならない。
【００３７】
更に、特許文献１に開示された技術は、従来のポリスチレン浮きドラムと比較すると、例えば、外部から封止された浮力空間を内側カバー内に形成すること、ウレタン樹脂発泡中間層を内側カバーと外側カバーとの間の空間内に形成すること等の挑戦的な製造プロセスを必要とし、また、上述のように、小さな割れしか生じていなくても浮力を失うという問題がある。したがって、特許文献１に開示された技術の釣り浮き具は、水性養殖施設で実際には使用されていない。
【００３８】
本開示の実施形態に係る空気多層化構造を有する浮力装置１０は、封止ケース１００内に複数の空気充填空間２０１を形成する浮力部材２００を充填し、第１及び第２の本体１１０及び１２０の内側表面上にコーティングされたコーティング防水剤によって封止ケース１００の内側表面と空気充填空間２０１の外側ビニル２１０との間に複数の封止された空間１０７を形成することによって、従来技術の上述の問題を解決する。
【００３９】
すなわち、本開示の実施形態に係る空気多層化構造を有する浮力装置１０では、第１の本体１１０又は第２の本体１２０が外部衝撃又は腐食によって割れるときでも、割れを通して封止ケース１００内に導入される海水は、任意の封止された空間１０７（以下、「第１の浸水空間」と称する）内に主に閉じ込められるので、更に導入されることが防止される。したがって、浮力装置１０は、１つの第１の浸水空間の体積分だけ浮力が減少する状態で十分な浮力を生じる。
【００４０】
更に、第１の浸水空間に接触するビニル２１０の部分が、第１の浸水空間が浸水している状態で時間の経過と共に損傷を受けるときでも、海水は、損傷されたビニル２１０を構成する任意の空気充填空間２０１（以下、「第２の浸水空間」と称する）内に閉じ込められるので、更に導入されることが防止される。したがって、浮力装置１０は、１つの第１の浸水空間及び１つの第２の浸水空間の体積分だけ浮力が減少する状態で十分な浮力を生じる。その後、浮力装置１０の浮力は徐々に減少する。すなわち、第２の浸水空間に接触するビニル２１０の一部分の損傷に起因して、他の空気充填空間２０１は徐々に減少する。
【００４１】
したがって、本開示の実施形態に係る空気多層化構造を有する浮力装置１０では、第１の本体１１０又は第２の本体１２０が外部衝撃又は腐食によって割れるときでも、浮力装置１０の全体浮力は非常に遅い速度で徐々に減少する。したがって、損傷された浮力装置１０が海水面下に完全に沈む前に、水性養殖施設の作業者は、損傷された浮力装置１０を容易に特定し、例えば損傷された浮力装置１０を交換する等の対策をとることができる。
【００４２】
図４に図示するように、本開示の別の実施形態に係る空気多層化構造を有する浮力装置２０は、結束紐１０５の張力によって第１及び第２の本体１１０及び１２０の開放された一端を共に付着させる（あるいは密着させる）ことによって、第１及び第２の本体１１０及び１２０を結合してもよい。
【００４３】
結束紐１０５は、例えばナイロン等のような高い摩擦及び引張強度を有する材料でできており、第１及び第２の本体１１０及び１２０に巻き付けられたロープＲにジグザグに接続する。結束紐１０５は、ロープＲの対の間に張力を生じて、第１及び第２の本体１１０及び１２０の開放された一端を共に付着させる。図示しないが、封止部材（図示せず）は、第１及び第２の本体１１０及び１２０の開放された一端の間で結合されてもよい。
【００４４】
したがって、本開示の別の実施形態に係る空気多層化構造を有する浮力装置２０では、第１の本体１１０、第２の本体１２０、又は浮力部材２００が損傷すると、作業者は、浮力装置２０の分解、浮力装置２０の損傷した部品の交換／修理、並びに、結束紐１０５の分離及び再結合による浮力装置２０の再組立の手順を容易に進めることができる。
【００４５】
本開示の実施形態によれば、複数の空気充填空間を形成する浮力部材が封止ケース内でビニルの２つのシートの間に充填され、複数の封止された空間が封止ケースの内側表面と浮力部材との間に形成されるため、空気多層化構造を有する浮力装置であって、容易に製造可能であり、かつ、浮力装置が外部衝撃によって部分的に損傷されるときでも、長時間にわたって浮力を維持可能である、浮力装置を提供することが可能である。
【００４６】
更に、中空部分内に巻かれた浮力部材を充填した後に、結束紐の張力によって第１及び第２の本体を共に付着させる単純な構造によって浮力が生じるため、空気多層化構造を有する浮力装置であって、当該浮力装置が部分的に損傷されるときでも再使用するためにユーザが低コストで容易に修理することが可能な浮力装置を提供することが可能である。
【００４７】
本発明は、その例示的な実施形態を参照しながら、具体的に図示され、説明されたが、形態及び詳細における種々の変更が、本発明の精神及び範囲から逸脱することなく行われてもよいことが当業者によって理解されるであろう。例示的な実施形態は、制限的な意味ではなく、本発明を例証する目的で提供される。したがって、本発明は、本発明の改良及び変更が添付の請求項及びその均等物の範囲内に入る場合に本発明の改良及び変更を包含することが意図されている。
【符号の説明】
【００４８】
１０，２０…浮力装置、１００…封止ケース、１０１…融着シート、１０２…保護層、１０３…蛍光層、１０４…溝、１０５…結束紐、１０６…防水層、１０７…空間、１１０…第１の本体、１１１…段状部分、１２０…第２の本体、２００…浮力部材、２０１…空気充填空間、２１０…ビニル。
【図１】
2018014992.tif 000003
【図２】
2018014992.tif 000004
【図３】
2018014992.tif 000005
【図４】
2018014992.tif 000006